(57)【要約】【課題】電源を必要とすることなく、スタンプの印面を適切に洗浄することができるスタンプ洗浄装置を提供することである。【解決手段】スタンプＳの印面７を洗浄液に浸漬した状態で印面にブラシ１１を当接し、スタンプＳおよびブラシ１１を相対的にブラッシング動作させて、印面７を洗浄するスタンプ洗浄装置１であって、スタンプＳを保持するスタンプ保持機構５と、ブラシ１１を保持するブラシ保持機構６と、ブラッシング動作を実施するためのハンドル操作子４２と、ハンドル操作子４２から入力した動力により、スタンプ保持機構５およびブラシ保持機構６の少なくとも一方に、ブラッシング動作させる動力変換機構４３と、ブラッシング動作の動作時間を計測する機械的な計時機構１２０と、を備えたものである。【選択図】図４
2011194772.tif 000002
【特許請求の範囲】
【請求項１】
スタンプの印面を洗浄液に浸漬した状態で印面にブラシを当接し、前記スタンプおよび前記ブラシを相対的にブラッシング動作させて、前記印面を洗浄するスタンプ洗浄装置であって、
前記スタンプを保持するスタンプ保持手段と、
前記ブラシを保持するブラシ保持手段と、
前記ブラッシング動作を実施するためのハンドル操作子と、
前記ハンドル操作子から入力した動力により、前記スタンプ保持手段および前記ブラシ保持手段の少なくとも一方に、前記ブラッシング動作させる動力変換手段と、
前記ブラッシング動作の動作時間を計測する機械的な計時手段と、を備えたことを特徴とするスタンプ洗浄装置。
【請求項２】
前記ブラシおよび前記スタンプの印面を浸漬するように前記洗浄液を貯留する洗浄液槽を、更に備えたことを特徴とする請求項１に記載のスタンプ洗浄装置。
【請求項３】
前記計時手段が、砂時計で構成されていることを特徴とする請求項１または２に記載のスタンプ洗浄装置。
【請求項４】
前記計時手段が、ぜんまい時計で構成されていることを特徴とする請求項１または２に記載のスタンプ洗浄装置。
【請求項５】
前記ハンドル操作子は、
支軸を中心に回転自在に構成された回転体と、前記回転体の偏心位置に取り付けた摘み部と、を有していることを特徴とする請求項１または２に記載のスタンプ洗浄装置。
【請求項６】
前記摘み部は、前記回転体に着脱自在に装着され、
前記回転体には、前記摘み部の装着部が径方向に複数形成されていることを特徴とする請求項５に記載のスタンプ洗浄装置。
【請求項７】
前記摘み部は、砂時計を有し、前記計時手段を兼ねていることを特徴とする請求項５または６に記載のスタンプ洗浄装置。
【請求項８】
前記動力変換手段は、
前記ハンドル操作子の前記支軸から動力を入力するギヤ列と、
前記ギヤ列の出力ギヤに設けられ、前記ハンドル操作子の回転に伴って円運動する係合部材と、を有し、
前記ブラシ保持手段は、前記係合部材に係合する係合受け部材を有していることを特徴とする請求項５ないし７のいずれかに記載のスタンプ洗浄装置。
【請求項９】
前記スタンプの印面が、マスクを介して印象画像を露光した光硬化性樹脂で構成されていることを特徴とする請求項１ないし８のいずれかに記載のスタンプ洗浄装置。
【発明の詳細な説明】
【技術分野】
【０００１】
本発明は、ブラシを用いてスタンプの印面を洗浄するスタンプ洗浄装置に関するものである。
【背景技術】
【０００２】
従来、この種のスタンプ洗浄装置として、印面がマスクを介して印象画像を露光した光硬化性樹脂で構成されたスタンプに対し、ブラシを円運動させてブラッシング動作を行うものが知られている（特許文献１参照）。
このスタンプ洗浄装置は、印面を洗浄液に浸漬した状態でスタンプを保持するスタンプ保持手段と、洗浄液に浸漬したブラシを保持するブラシ保持手段と、ブラシ保持手段にスタンプの印面をブラッシング動作させるモーター駆動のブラッシング運動手段と、ブラッシング動作の動作時間を設定可能な電気的なタイマーと、を備えている。
この場合、モーターを駆動させてブラシをブラッシング動作すると共に、モーターの駆動時間をタイマー制御することにより、ブラシに当接したスタンプの印面を適切に洗浄するようにしている。
【先行技術文献】
【特許文献】
【０００３】
【特許文献１】特開平１１−３１６４６３号公報
【発明の概要】
【発明が解決しようとする課題】
【０００４】
しかしながら、このような、スタンプ洗浄装置では、モーターおよびタイマーにより駆動系および制御系を構成しているため、近くに電源のある場所でしか使用することができず、また装置が高価なものになってしまうという問題があった。さらに、洗浄液を用いるため、モーターやモーターの駆動回路を確実にシールする必要があり、構造が複雑になる問題があった。
【０００５】
本発明は、電源を必要とすることなく、スタンプの印面を適切に洗浄することができるスタンプ洗浄装置を提供することを課題としている。
【課題を解決するための手段】
【０００６】
本発明のスタンプ洗浄装置は、スタンプの印面を洗浄液に浸漬した状態で印面にブラシを当接し、スタンプおよびブラシを相対的にブラッシング動作させて、印面を洗浄するスタンプ洗浄装置であって、スタンプを保持するスタンプ保持手段と、ブラシを保持するブラシ保持手段と、ブラッシング動作を実施するためのハンドル操作子と、ハンドル操作子から入力した動力により、スタンプ保持手段およびブラシ保持手段の少なくとも一方に、ブラッシング動作させる動力変換手段と、ブラッシング動作の動作時間を計測する機械的な計時手段と、を備えたことを特徴とする。
【０００７】
この構成によれば、ユーザーがハンドル操作子を操作すると、動力変換手段を介して、ブラシ保持手段に保持したブラシと、スタンプ保持手段に保持したスタンプとが、相対的にブラッシング動作し、洗浄液に浸漬したスタンプの印面が洗浄される。その際、計時手段により、ブラッシング動作の動作時間を計測（計時）することで、過不足の生じないブラッシング動作、すなわち適切な洗浄を実施することができる。また、ハンドル操作子と機械的な計時手段とを用いるため、電気的な駆動源および制御系を必要としない。このため、使用場所に制約を受けることがなく、且つ装置を安価に作成することができる。
【０００８】
この場合、ブラシおよびスタンプの印面を浸漬するように洗浄液を貯留する洗浄液槽を、更に備えたことが、好ましい。
【０００９】
この構成によれば、ブラシおよびスタンプの印面を、洗浄液槽に貯留した洗浄液に浸漬した状態でブラッシング動作することができ、予め洗浄液槽に洗浄液を貯留しておけば、使用場所が制約されることがない。また、洗浄液槽を備えることで、洗浄液を攪伴し、スタンプの印面の汚れの洗浄液への溶け込みを促進することができる。
【００１０】
この場合、計時手段が、砂時計で構成されていることが、好ましい。
また、計時手段が、ぜんまい時計で構成されていることが、好ましい。
【００１１】
これらの構成によれば、ブラッシング動作時間を簡単に計測することができると共に、装置を安価に作成することができる。
【００１２】
この場合、ハンドル操作子は、支軸を中心に回転自在に構成された回転体と、回転体の偏心位置に取り付けた摘み部と、を有していることが、好ましい。
【００１３】
この構成によれば、摘み部を回転体に対して円運動させることにより、簡単にブラッシング動作の動力を入力することができる。すなわち、人間工学に即した無理のない操作（動作）で、スタンプの印面を適切に洗浄することができる。
【００１４】
この場合、摘み部は、回転体に着脱自在に装着され、回転体には、摘み部の装着部が径方向に複数形成されていることが、好ましい。
【００１５】
この構成によれば、例えば、大きいスタンプの場合には、ブラシと印面の接触面積が大きくなるため、摘み部を円運動させるには大きな力が必要となる。この場合、摘み部を回転体の径方向外側の装着部に装着して操作することにより、てこの原理により、小さい力でブラッシングすることができる。一方、小さいスタンプの場合には、ブラシと印面の接触面積が小さくなるため、摘み部を小さな力で円運動させることができる。この場合には、摘み部を回転体の径方向内側の装着部に装着して操作することにより、回転を速め短時間でブラッシングを完了させることができる。すなわち、回転体に対する摘み部の装着位置の変更により、スタンプの印面の大きさ等に対応して、適正な力加減となるように調整することができる。なお、操作性を考慮すると、回転体の回転速度は、１周／秒ないし０．５周／秒程度であることが好ましい。
【００１６】
この場合、摘み部は、砂時計を有し、計時手段を兼ねていることが、好ましい。
【００１７】
この構成によれば、摘み部は、計時手段である砂時計を有しているため、装置構成を簡単にすることができる。
【００１８】
この場合、動力変換手段は、ハンドル操作子の支軸から動力を入力するギヤ列と、ギヤ列の出力ギヤに設けられ、ハンドル操作子の回転に伴って円運動する係合部材と、を有し、ブラシ保持手段は、係合部材に係合する係合受け部材を有していることが、好ましい。
【００１９】
この構成によれば、回転体が回転することにより、係合部材が円運動し、この係合部材の円運動により、ブラシ保持手段が円運動する。したがって、単純な構成でブラシ保持手段（ブラシ）を、円運動させることができる。
ようにしてもよい。
【００２０】
この場合、スタンプの印面が、マスクを介して印象画像を露光した光硬化性樹脂で構成されていることが、好ましい。
【００２１】
この構成によれば、印面における硬化しない部分を、適切に掻き出し且つ洗浄液に良好に溶解させることができ、洗浄むらを有効に防止することができる。
【図面の簡単な説明】
【００２２】
【図１】スタンプ洗浄装置の斜視図である。
【図２】スタンプ洗浄装置の分解斜視図である。
【図３】機構部の（ａ）は上側から見た斜視図であり、（ｂ）は下側から見た斜視図である。
【図４】機構部の断面図である。
【図５】動力変換機構廻りの斜視図である。
【図６】第二実施形態にかかるスタンプ洗浄装置の斜視図である。
【発明を実施するための形態】
【００２３】
以下、添付した図面を参照して、本発明の一実施形態に係るスタンプ洗浄装置を、スタンプ作成装置で作成したスタンプを洗浄する装置に適用した場合について説明する。このスタンプ作成装置は、印面を紫外線硬化樹脂で形成したスタンプ素材に、インクリボンに印字（印刷）した印章文字（絵柄を含む印章画像）をマスクとして紫外線を露光し、所望のスタンプを作成するものであり、この露光によりスタンプの印面は、印章文字の部分のみ硬化し、他の部分は未硬化のままとなる。そして、実施形態のスタンプ洗浄装置は、このスタンプの未硬化の部分をブラッシング動作により洗い流すものであり、洗浄が完了すると、スタンプの印面は硬化した印章文字の部分のみが凸状に残る。
【００２４】
図１および図２に示すように、スタンプ洗浄装置１は、水道水などの洗浄液を貯留する洗浄液槽２と、洗浄液槽２の上端開口を着脱自在に閉蓋するように設けた機構部３と、から構成されている。洗浄液槽２には、貯留した洗浄液に浸清されるように、後述のブラシ保持機構（ブラシ保持手段）６に保持されたブラシ体４が収容されている。一方、機構部３には、スタンプＳを保持する後述のスタンプ保持機構（スタンプ保持手段）５と、ブラッシング動作を実施するためのハンドル操作子４２と、ハンドル操作子４２から入力した動力により、ブラッシング動作させる動力変換機構（動力変換手段）４３と、ブラッシング動作の動作時間を計測する機械的な計時機構（計時手段）１２０と、が組み込まれている。機構部３を洗浄液槽２に装着すると、これに保持されたスタンプＳは、下向きに洗浄液槽２内に臨み、その印面７がブラシ体４に当接する。
【００２５】
洗浄液槽２にブラシ体４を収容し、所定量の洗浄液を注いだ後、予めスタンプＳをセットした機構部３を洗浄液槽２に閉蓋するように装着する。この状態で、ハンドル操作子４２を操作して動力変換機構４３を駆動させると、ブラシ体４はその当接姿勢を保持した状態で円運動する。このブラシ体４の円運動により、スタンプＳの印面７がブラッシングされ、未硬化部分が掻き取られるようにして洗浄が行われる。所定時間経過後、ハンドル操作子４２の操作を停止させたら、上記と逆の手順で機構部３を洗浄液槽２から取り外し、洗浄液槽２およびブラシ体４を簡単に洗って、洗浄作業を完了する。そして再度、洗浄液槽２に機構部３を装着して、これを保管する。
【００２６】
図２に示すように、ブラシ体４は、ブラシ１１と、ブラシ１１を保持するブラシホルダー１２と、ブラシホルダー１２に組込んだ重り１３と、で構成されている。ブラシ１１は、全体として方形を為すブラシ本体１４と、ブラシ本体１４を植設した粘着シート（図示省略）と、で構成されており、ブラシホルダー１２の上面に貼着されている。
【００２７】
ブラシホルダー１２は、ブラシ１１が貼着されると共に、重り１３が組み込まれた方形のホルダー本体２１と、ホルダー本体２１の一方の長辺部から三角形を為して延設した延設部２２と、を有している。延設部２２の上面には、後述する係合部材９２（図５参照）の鰭片１０４（図３（ｂ）参照）が係合するピン状突起（係合受け部材）２３が突出形成されている。この場合、ピン状突起２３の上端部は断面半球状に形成されており、ピン状突起２３に対応する鰭片１０４の下端部は断面半円状に形成されている。洗浄液槽２に機構部３を装着すると、ピン状突起２３に対し鰭片１０４が上下方向にオーバーラップし、続いて鰭片１０４が円運動を開始すると、ピン状突起２３に鰭片１０４が係合する。その際、この両者が同位置にあると、ピン状突起２３に対し鰭片１０４が当接するが、両者の先端形状によりピン状突起２３が運動方向に逃げるため、機構部３の装着が円滑に行われる。
【００２８】
また、ホルダー本体２１および延設部２２の下面には、相互に離間して３つのガイドピン２４，２４，２４と、後述の一対の支持突条３４，３４に接触する一対の受け突条２５，２５と、が形成されている。３つのガイドピン２４，２４，２４は、後述する洗浄液槽２の３つの円形ガイド溝３３，３３，３３に係合して、ブラシホルダー（ブラシ１１）１２の円運動を案内する。また、一対の受け突条２５，２５は、一対の支持突条３４，３４に直交するように接触してブラシ体４を支持する。
【００２９】
図２に示すように、洗浄液槽２は、上端が開放された透明な樹脂で構成され、機構部３側の辺がわずかに湾曲した平面視、略方形に形成されている。洗浄液槽２の内側には、貯留する洗浄液の水位線となる段部３１が形成されている。この段部３１まで洗浄液が満されると、ブラシ１１およびこれに当接するスタンプＳの印面７は、完全に洗浄液中に浸清され、且つブラシ体４が洗浄動作して洗浄液が波立っても、洗浄液が洗浄液槽２の上端に達することはない。
【００３０】
洗浄液槽２の底面には、略三角形の盛上がり部３２が形成され、盛上がり部３２には相互に離間して３つの円形ガイド溝３３，３３，３３が形成されている。各円形ガイド溝３３は、同一形状をした円形の環状溝であり、この各円形ガイド溝３３にブラシ体４の各ガイドピン２４が係合する。機構部３の係合部材９２を介して鰭片１０４が円運動すると、この鰭片１０４からブラシ体４のピン状突起２３に運動力が伝達され、ブラシ１１は、当接姿勢を保持した状態で、３つの円形ガイド溝３３に案内されて円運動する。
【００３１】
また、洗浄液槽２の底面には、盛上がり部３２を横断して延びる一対の支持突条３４，３４が略平行に延設されている。各支持突条３４は、盛上がり部３２の上面からわずかに突出し、且つ円形ガイド溝３３を逃げるように配設されている。洗浄液槽２にブラシ１１を着座させると、この一対の支持突条３４，３４に、ブラシ体４の一対の受け突条２５，２５が直交するようにして接触する。すなわち、ブラシ体４はその下面に形成した受け突条２５の部分で、この支持突条３４に支持される。一方、洗浄液槽２の上端部には、これに装着した機構部３が係止される横長の係止溝３５が形成されると共に、係止溝３５に対向する位置に一対の小突起３６，３６が形成されている。
【００３２】
次に図３ないし図５を参照して機構部３について説明する。機構部３は、洗浄液槽２を上側から閉塞する蓋状ケース４１と、蓋状ケース４１の一方の半部上面に設けたハンドル操作子４２と、蓋状ケース４１の一方の半部に内蔵した動力変換機構４３と、蓋状ケース４１の他方の半部に構成したスタンプ収容部４４と、を備えている。
【００３３】
蓋状ケース４１は、３辺に突出させてフランジ部５１を有すると共に、隔壁５５を存して区画した操作子側ケース部５６およびスタンプ側ケース部５７を有するケース本体５２と、操作子側ケース部５６と共に動力変換機構４３を収容するベース部５３と、スタンプ側ケース部５７と共にスタンプＳを収容するスタンプ保持ケース部５４と、から構成されている。
【００３４】
フランジ部５１は、洗浄液槽２の外形に対応する形状に形成されており、幅方向の一方の端部下面には、上記の係止溝３５に内側から掛け止めされる横長の係止突起６１が突設されており、他方の端部下面には、上記の小突起３６に内側から係止する指掛け部６３付きの掛止め片６２が突設されている。掛止め片６２は、ばね性を奏するように断面略「Ｕ」字状に折曲げ形成されており、指掛け部６３近傍に設けた小穴（図示省略）が、上記の小突起３６に係止されるようになっている。すなわち、係止突起６１を係止溝３５に掛け止めした状態で、掛止め片６２を小突起３６に係止することにより、蓋状ケース４１が洗浄液槽２に装着される。また、指掛け部６３を引き付けた状態で、逆の手順により蓋状ケース４１を洗浄液槽２から外すようになっている。
【００３５】
ケース本体５２のスタンプ側ケース部５７は、フランジ部５１を残して形成したスタンプの投入開口７１と、隔壁５５の両端部から延びるリブ条の一対のブラケット部７２と、を有し、この一対のブラケット部７２にスタンプ保持ケース部５４が回動自在に取り付けられている。スタンプ保持ケース部５４は、天板の半部を切り欠いた形態を有し、平面視略「Ｕ」字状に形成されている。スタンプ保持ケース部５４の正面には、ばね性を有するフック部７３が一体に形成され、スナップインの形式で、フランジ部の内側に掛け止め（閉塞状態）されるようになっている。
【００３６】
ところで、スタンプ保持機構５によりスタンプ保持ケース部５４に下向きにセットされるスタンプＳは、一の面に、上記のスタンプ作成装置にセットされるときに用いる円形位置決め穴８１と、複数の矩形位置決め穴８２と、を有している（図５参照）。そこで、実施形態のスタンプ保持機構５は、この円形位置決め穴８１および複数の矩形位置決め穴８２を利用して、スタンプＳを保持するようになっている。
【００３７】
スタンプ保持機構５は、隔壁５５の上部に突設された円形位置決め穴８１に対応する円形保持突起８３と、隔壁５５の下部に突設された複数の矩形位置決め穴８２に対応する複数の矩形保持突起８４と、スタンプＳを挟んで円形保持突起８３および複数の矩形保持突起８４に対向するようにスタンプ保持ケース部５４に組み込んだスタンプ押圧部材８５と、で構成されている。スタンプ押圧部材８５は、スタンプ保持ケース部５４の天板部分に、ヒンジピン８８を介して回動自在に取り付けた押圧部材本体８６と、ヒンジピン８８に巻回するように設けられ、押圧部材本体８６を隔壁５５側に向って付勢するねじりコイルばね８７と、を有している。
【００３８】
スタンプ保持機構５では、先ずスタンプ保持ケース部５４を開放状態とし、下向きに把持したスタンプＳを、正面から円形保持突起８３および複数の矩形保持突起８４に嵌め込むようにして仮セットする。次に、スタンプ保持ケース部５４を閉方向に回動させ、スタンプ押圧部材８５の下端部をスタンプＳに突き当てるようにして、スタンプ保持ケース部５４を閉塞する。スタンプ保持ケース部５４をスナップインで閉塞すると、スタンプＳはスタンプ押圧部材８５により隔壁側に押圧され、円形保持突起８３および複数の矩形保持突起８４と、スタンプ押圧部材８５とのより、挟持されるようにして不動に保持される。また、このようにしてセットされたスタンプＳは、スタンプ保持ケース部５４の切り欠き部分から視認できるようになっている。
【００３９】
操作子側ケース部５６は、上面が平坦に形成され、この部分にハンドル操作子４２が設けられている。また、操作子側ケース部５６の下方には、間隙を存してこれに平行にベース部５３が取り付けられており、この操作子側ケース部５６とベース部５３との間隙に動力変換機構４３が収容されている。
【００４０】
図４および図５に示すように、動力変換機構４３は、ハンドル操作子４２の回転軸９５（支軸）から動力を入力するギヤ列９１と、ギヤ列９１の出力ギヤ９４に設けられ、ハンドル操作子４２の回転に伴って円運動する係合部材９２と、を有している。この場合、ギヤ列９１は、ハンドル操作子４２の回転軸９５に固定された入力ギヤ９３と、入力ギヤ９３に噛み合う出力ギヤ９４と、で構成されており、この出力ギヤ９４が係合部材９２の軸部１０１に固定されている。
【００４１】
係合部材９２は、ベース部５３から突出しており、上部に出力ギヤ９４を固定しベース部５３に回転自在に支持された軸部１０１と、軸部１０１の下部にこれを囲繞するように配設した回転部１０２とで、一体に形成されている。回転部１０２は、軸部１０１の下端部から立ち上がって上方に延びる筒状の水返し部１０３と、水返し部１０３から斜め下方に延びる鰭片１０４と、を有している。そして、この鰭片１０４がブラシ体４に係合している。ハンドル操作子４２により回転動力が入力されると、ギヤ列９１を介して回転部１０２が回転し、鰭片１０４が回転部１０２の軸廻りに円運動（公転）し、ブラシ１１を円運動させる。
【００４２】
ハンドル操作子４２は、中心部下面に回転軸９５を突設した厚手の円板から成る回転体１１１と、回転体１１１の偏心位置に着脱自在に取り付けた摘み部１１２と、を有している。回転体１１１は、回転軸９５の部分で、操作子側ケース部５６に形成した軸受け部１１３に回転自在に支持されている。また、回転体１１１の上面には、その中心からの距離（半径方向の距離）が異なる位置に、摘み部１１２が装着される複数（２つ）の装着部１１４が形成されている。スタンプＳの印面７が大きい場合には、摘み部１１２を径方向の外側に装着させ、逆にスタンプＳの印面７が小さい場合には、摘み部１１２を径方向の内側に装着するようにする。
【００４３】
摘み部１１２は、透明な樹脂等の素材で略円筒状に形成されており、その両端部には、回転体１１１の装着部１１４に差し込み式で装着するための装着突起１１６が形成されている。そして、摘み部１１２の内部には、計時機構１２０を構成する砂時計が組み込まれている。なお、実施形態のものでは、砂時計は２分計で構成されている。スタンプＳをセットした機構部３を洗浄液槽２に装着した状態で、摘み部１１２を装着部１１４にセットすることで、洗浄時間の計測が開始される。そして、砂時計内の砂が落ちきった時点で、洗浄時間の計測が終了する。すなわち、ユーザーは、摘み部１１２を装着すると共に摘み部１１２を周回運動させて洗浄を開始し、砂が落ちきった時点で、洗浄を終了するようになっている。
【００４４】
次に、図６を参照して、本発明の第二実施形態について説明する。なお、重複した記載を避けるべく、第一実施形態と異なる部分を主として説明する。このスタンプ洗浄装置１は、ブラシ保持機構６に保持されたブラシ体４を収容した洗浄液槽２と、スタンプ保持機構５、ハンドル操作子４２、動力変換機構４３、計時機構１２０が組み込まれ機構部３と、から構成されている。
【００４５】
この場合の計時機構１２０は、いわゆるぜんまい時計であり、洗浄時間をセットする設定部１２１と、ぜんまい式の駆動部１２２と、洗浄時間の終了を報知する報知機構１２３と、で構成されている。設定部１２１は、回転体１１１から外れた上蓋１３０の端部に設けられており、ドーナッツ状に形成され、洗浄時間の目安となる目盛り付の計時板１３２と、計時板１３２の中央部に配設され、目盛りに目印を合わせることで、ぜんまいを巻いて洗浄時間を設定する設定部１２１を有している。駆動部１２２は、操作子側ケース部５６に収容されており、設定部１２１により設定された時間駆動する。スタンプＳをセットした機構部３を洗浄液槽２に装着した状態で、設定部１２１により洗浄時間をセットすることで、洗浄時間の計測が開始される。そして、報知機構１２３による報知音が鳴った時点で、洗浄時間の計測が終了する。すなわち、ユーザーは、設定部１２１をセットすると共に摘み部１１２を周回運動させて洗浄を開始し、報知音が鳴った時点で、洗浄を終了するようになっている。
【００４６】
以上の構成によれば、ユーザーがハンドル操作子４２を操作すると、動力変換機構４３を介して、スタンプＳに対してブラシ体４が、ブラッシング動作してスタンプＳの印面７が洗浄される。また、ハンドル操作子４２および機械的な計時機構１２０を用いるため、電気的な駆動源および制御系を必要としないため、使用場所に制約を受けることがなく、且つ装置を安価に作成することができる。
【００４７】
なお、実施形態では、ブラシ体に円運動を行わせるようにしているが、楕円運動その他の周回運動をさせるようにしてもよい。また、ブラシ体４を固定とし、スタンプＳを洗浄運動させる構造でもよい。一方、本発明のスタンプ洗浄装置１は、ゴム印等の一般的なスタンプＳの洗浄にも適用可能である。
【符号の説明】
【００４８】
１…スタンプ洗浄装置  ２…洗浄液槽  ５…スタンプ保持機構  ６…ブラシ保持機構  ７…印面  １１…ブラシ  ２３…ピン状突起  ４２…ハンドル操作子  ４３…動力変換機構  ９１…ギヤ列  ９２…係合部材  １１１…回転体  １２０…計時機構  １１２…摘み部  Ｓ…スタンプ
【図１】
2011194772.tif 000003
【図２】
2011194772.tif 000004
【図３】
2011194772.tif 000005
【図４】
2011194772.tif 000006
【図５】
2011194772.tif 000007
【図６】
2011194772.tif 000008